(57)【要約】      （修正有）【課題】取付及び取り外し作業の煩雑性を低減可能なコード式物干し器を提供する。【解決手段】取付部５及び被取付部１５のうちいずれか一方に変位可能に組み付けられ、取付部及び被取付部それぞれに設けられた挿入穴５Ａ、１５Ａに挿入されたときに取付部と被取付部とを揺動可能に連結する連結棒１３と、連結棒の変位を規制して、取付部と被取付部との連結状態を維持するバネ１７とをコード式物干し器１に設ける。これにより、取付部と被取付部との連結状態を容易に解除することが可能となり、複数の取付部が予め複数場所に取付固定されていれば、取付場所を容易に変更することができる。【選択図】図２
0003193842.tif 000002
【実用新案登録請求の範囲】
【請求項１】
索体を巻き取る巻取ドラムと、
前記巻取ドラムを支持するフレームと、
被固定部に固定される取付部であって、前記フレームに設けられた被取付部と揺動可能に連結される取付部と、
前記取付部及び前記被取付部のうちいずれか一方に変位可能に組み付けられた連結棒であって、前記取付部及び前記被取付部それぞれに設けられた挿入穴に挿入されたときに前記取付部と前記被取付部とを揺動可能に連結する連結棒と、
前記連結棒の変位を規制することにより、前記取付部と前記被取付部との連結状態を維持する規制部材と
を備えることを特徴とする索体巻取装置。
【請求項２】
前記連結棒は、前記被取付部に変位可能に組み付けられていることを特徴とする索体巻取装置。
【請求項３】
前記規制部材は、前記連結棒を前記取付部に向けて押圧する弾性力を発揮するバネであることを特徴とする請求項２に記載の索体巻取装置。
【請求項４】
前記フレームと前記被取付部とは樹脂にて一体形成され、
前記フレームは、前記巻取ドラムを回転可能に支持した状態で当該巻取ドラムを収納するケーシングを兼ねていることを特徴とする請求項１ないし３のいずれか１項に記載の索体巻取装置。
【請求項５】
前記索体は、物干し用のコードであることを特徴とする請求項１ないし４のいずれか１項に記載の索体巻取装置。
【考案の詳細な説明】
【技術分野】
【０００１】
本考案は、コード（紐）状の索体を巻き取る索体巻取装置に関するものであって、「コード式物干し器（巻紐式物干し器）に適用して有効である。
【背景技術】
【０００２】
例えば、特許文献１に記載の巻紐式物干し器では、物干し用のコードが収納されたケーシングが取付部材に揺動可能に連結固定されている。取付部材には、壁や柱等の被固定部に、取付部材（巻紐式物干し器）をネジ固定するためのネジ穴が設けられている。
【先行技術文献】
【特許文献】
【０００３】
【特許文献１】実開昭５９−１６００９１号公報
【考案の概要】
【考案が解決しようとする課題】
【０００４】
主婦等の一般利用者が、特許文献１に係る巻紐式物干し器の使用する際には、利用者は、壁や柱等の被固定部に取付部材をネジ固定する必要がある。このため、取付部材の取付場所が不適切であった場合や取付場所を変更する必要がある場合には、利用者は取付用のネジを抜いて取付部材を取り外した後、新たな場所に取付部材を、再度、取り付ける必要がある。したがって、特許文献１に係る巻紐式物干し器は、使い勝手が良くない。
【０００５】
本考案は、上記点に鑑み、使い勝手を向上させた「コード式物干し器」等の索体巻取装置を提供することを目的とする。
【課題を解決するための手段】
【０００６】
上記目的を達成するために、本考案は、以下の点に着目した。すなわち、特許文献１に係る巻紐式物干し器では、ケーシングと取付部材とが連結固定されている。そして、主婦等の一般利用者では、その連結固定を解除することは事実上不可能な構成となっている。
【０００７】
そこで、本考案では、索体（１１）を巻き取る巻取ドラム（７）と、巻取ドラム（７）を支持するフレーム（９）と、被固定部に固定される取付部（５）であって、フレーム（９）に設けられた被取付部（１５）と揺動可能に連結される取付部（５）と、取付部（５）及び被取付部（１５）のうちいずれか一方に変位可能に組み付けられた連結棒（１３）であって、取付部（５）及び被取付部（１５）それぞれに設けられた挿入穴（５Ａ、１５Ａ）に挿入されたときに取付部（５）と被取付部（１５）とを揺動可能に連結する連結棒（１３）と、連結棒（１３）の変位を規制することにより、取付部（５）と被取付部（１５）との連結状態を維持する規制部材（１７）とを備えることを特徴とする。
【０００８】
これにより、本考案では、主婦等の一般利用者であっても、取付部（５）と被取付部（１５）との連結状態を容易に解除できる。したがって、例えば、複数の取付部（５）が予め複数場所に取付固定されていれば、利用者は、索体巻取装置本体（巻取ドラム（７）及びフレーム（９）等）の取付場所を容易に変更できる。延いては、索体巻取装置の使い勝手を向上させることが可能となる。
【０００９】
なお、本考案では、取付部（５）と被取付部（１５）との連結状態を容易に解除可能とした点を特徴と１つとしている。このため、本考案に係る取付部（５）は、少なくとも１つあれば十分である。
【００１０】
すなわち、特許文献１に係る考案では、索体巻取装置本体と取付部との連結を解除することが事実上できないので、索体巻取装置本体が取付部（５）に連結されたまま、取付部を被固定部から取り外す必要がある。このため、主婦等の一般利用者においては、取付部を取り外す際の作業が非常に煩雑に感じ可能性が高い。
【００１１】
これに対して、本考案では、取付部（５）と被取付部（１５）との連結状態を容易に解除できるので、索体巻取装置本体を取付部（５）から取り外した状態で取付部（５）を被固定部から取り外すことができる。したがって、主婦等の一般利用者であっても、取付部（５）を被固定部から容易に取り外すことが可能となる。
【００１２】
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１３】
【図１】（ａ）は本考案の実施形態に係るコード式物干し器１が取付部５に連結された状態を示す図である。（ｂ）は本考案の実施形態に係るコード式物干し器１が取付部５から取り外された状態を示す図である。
【図２】（ａ）は本考案の実施形態に係るコード式物干し器１の鉛直断面を示す図である。（ｂ）は本考案の実施形態に係るコード式物干し器１の水平断面を示す図である。
【図３】（ａ）〜（ｃ）は本考案の実施形態に係るコード式物干し器１の変形例を示す図である。
【考案を実施するための形態】
【００１４】
以下に説明する「考案の実施形態」は実施形態の一例を示すものである。つまり、実用新登録請求の範囲に記載された考案特定事項等は、下記の実施形態に示された具体的手段や構造等に限定されるものではない。
【００１５】
本実施形態は、コード式物干し器（巻紐式物干し器）に本考案（索体巻取装置）を適用したものである。各図に付された方向を示す矢印等は、各図相互の関係を理解し易くするために記載したものである。本考案は、各図に付された方向に限定されるものではない。
【００１６】
少なくとも符号を付して説明した部材又は部位は、「複数」や「２つ以上」等の断りをした場合を除き、少なくとも１つ設けられている。以下、本考案の実施形態を図面と共に説明する。
【００１７】
（第１実施形態）
１．索体巻取装置（コード式物干し器）の構造
図１（ａ）に示すように、索体巻取装置（コード式物干し器）１は、本体部３及び取付部５等を有して構成されている。本体部３は、図２（ａ）に示すように、巻取ドラム７及びフレーム９等を有している。
【００１８】
巻取ドラム７は、図２（ｂ）に示すように、物干し用のコード（ロープ）をなす索体１１を巻き取るための回転体である。フレーム９は、巻取ドラム７を回転可能に支持した状態で当該巻取ドラム７を収納するフレームケーシングである。
【００１９】
巻取ドラム７は、円筒状のドラム本体７Ａ、及びドラム本体７Ａの軸線方向両端に設けられた鍔状のフランジ部７Ｂ等を有している。ドラム本体７Ａ内には、渦巻き状の板バネ（ぜんまいばね）７Ｃが収納されている。板バネ７Ｃは、索体１１を巻き取る向きにドラム本体７Ａを回転させる弾性力を発揮する。
【００２０】
取付部５は、図１（ａ）に示すように、壁や柱等の被固定部（以下、壁等という。）に本体部３を揺動可能に取り付けるための部材であって、ネジ等の機械的締結具又は両面テープ等の接着剤にて壁等に取付固定される。
【００２１】
取付部５は、図２（ａ）に示すように、連結棒１３を介して被取付部１５と揺動可能に連結される。被取付部１５は、フレーム９（本体部３）に設けられた部位であって、連結棒１３が挿入された挿入穴１５Ａが設けられている。
【００２２】
挿入穴１５Ａの内周面と連結棒１３の外周面とは、滑り接触可能に接触している。このため、連結棒１３は、被取付部１５（挿入穴１５Ａ）に対して、その軸線方向に変位することができるとともに、当該軸線回りに回転できる。
【００２３】
取付部５にも、連結棒１３が挿入される挿入穴５Ａが設けられている。挿入穴５Ａも、その内周面４Ａが連結棒１３の外周面と滑り接触可能に接触する。このため、連結棒１３は、取付部５（挿入穴５Ａ）に対して、その軸線方向に変位できるとともに、当該軸線回りに回転できる。
【００２４】
連結棒１３は、軸線方向に変位可能な状態で被取付部１５に組み付けられている。すなわち、連結棒１３の軸線方向一端側であって、被取付部１５から突出している部分には、利用者が把持又は摘むたの摘み部１３Ａが装着されている。摘み部１３Ａの最大外形寸法は、挿入穴１５Ａの穴径より大きな寸法に設定されている。
【００２５】
連結棒１３の軸線方向他端側であって被取付部１５内の部分には、Ｅ型止め輪等の止め輪１３Ｂが装着されている。止め輪１３Ｂの最大外形寸法は、挿入穴１５Ａの穴径より大きな寸法に設定されている。このため、連結棒１３は、挿入穴１５Ａ、つまり被取付部１５から脱落することはない。
【００２６】
被取付部１５内には、連結棒１３に弾性力を作用させるバネ１７が配設されている。バネ１７は、連結棒１３を取付部５に向けて押圧する弾性力を発揮する。具体的には、バネ１７は、コイル状に形成され、かつ、内部に連結棒１３が貫通挿入されている。
【００２７】
バネ１７の軸線方向一端は、被取付部１５の内壁のうち摘み部１３Ａ側の内壁に圧接し、バネ１７の軸線方向他端は止め輪１３Ｂに圧接している。そして、連結棒１３の軸線方向他端側が挿入穴５Ａに挿入された状態において、バネ１７は、その自然長より圧縮変形した状態に設定されている。
【００２８】
このため、バネ１７は、常に、連結棒１３を取付部５に向けて押圧する弾性力を発揮する。したがって、連結棒１３の軸線方向他端側が挿入穴５Ａに挿入された状態においては、当該バネ１７は、その弾性力により連結棒１３の変位を規制する。つまり、バネ１７は、取付部５と被取付部１５との連結状態を維持する規制部材として機能する。
【００２９】
２．取付部と被取付部との連結、及び当該連結の解除について
上述したように、バネ１７は、常に、連結棒１３を取付部５に向けて押圧する弾性力を発揮する（図２（ａ）参照）。したがって、挿入穴１５Ａに連結棒１３が挿入された状態がバネ１７の弾性力によって自動的に維持される。
【００３０】
そして、利用者が、摘み部１３Ａを引き上げるようにして摘み部１３Ａを被取付部１５から離間させると（図２（ａ）の二点鎖線参照）、連結棒１３が挿入穴５Ａから抜け出る（図１（ｂ）参照）。このため、利用者は、取付部５から本体部３を容易に取り外すことができる。
【００３１】
また、本体部３を取付部５に組み付ける場合には、利用者は、摘み部１３Ａを被取付部１５から離間させた状態で、挿入穴１５Ａの位置と挿入穴５Ａの位置とを一致させた後、摘み部１３Ａから手を離せばよい。これにより、バネ１７の弾性力により、連結棒１３が挿入穴５Ａ側に変位して挿入穴５Ａに自動的に挿入されるので、取付部５と本体部３との連結が自動的に完了する。
【００３２】
３．本実施形態に係る索体巻取装置（コード式物干し器）の特徴
上述したように、本実施形態に係る索体巻取装置（コード式物干し器）１では、主婦等の一般利用者であっても、取付部５と被取付部１５との連結状態を容易に解除でき得る。したがって、例えば、複数の取付部５が予め複数場所に取付固定されていれば、利用者は、本体部３の取付場所を容易に変更することができる。
【００３３】
（第２実施形態）
第１実施形態では、フレーム９（フレームケーシング）の外観形状が、巻取ドラム７の外形状に沿うような円弧部を有する形状であったが、本実施形態は、図３（ａ）〜図（ｃ）に示すように、巻取ドラム７の外形状と異なる異形状としたものである。
【００３４】
すなわち、図３（ａ）はフレーム９全体を矩形状とした例である。図３（ｂ）は、フレーム９のうち被取付部１５と反対側を、曲率半径が異なる円弧で繋いだ形状としたものである。図３（ｃ）は、フレーム９のうち被取付部１５と反対側を多角形状としたものである。
【００３５】
（その他の実施形態）
上述の実施形態では、バネ１７により規制部材を構成したが、本考案はこれに限定されるものではなく、例えば、連結棒１３に着脱可能に装着するクリップ、ピン又は止め輪等により規制部材を構成してもよい。
【００３６】
また、本考案は、実用新登録請求の範囲に記載された考案の趣旨に合致するものであればよく、上述の実施形態に限定されるものではない。したがって、コード式物干し器（巻紐式物干し器）以外の索体巻取装置にも適用可能である。
【符号の説明】
【００３７】
３… 本体部
４Ａ… 内周面
５… 取付部
５Ａ… 挿入穴
７… 巻取ドラム
７Ａ… ドラム本体
７Ｃ… 板バネ
９… フレーム
１１… 索体
１３… 連結棒
１３Ａ… 部
１３Ｂ… 輪
１５… 被取付部
１５Ａ… 挿入穴
１７… バネ
【図１】
0003193842.tif 000003
【図２】
0003193842.tif 000004
【図３】
0003193842.tif 000005